(57)【特許請求の範囲】
【請求項１】
移動局装置と直接又は中継局装置を介して通信する基地局装置において、
参照信号の送信を、前記移動局装置に対して指示する参照信号送信指示部と、
前記移動局装置が送信した参照信号の測定を、前記中継局装置に対して指示する参照信号測定指示部と、
前記参照信号測定指示部の指示に対する測定結果の情報であって前記中継局装置での受信品質を示す情報を、受信する品質情報受信部と、
前記移動局装置が送信した参照信号を測定する上りアクセスリンク品質測定部と、
前記品質情報受信部が受信した中継局装置での受信品質を示す情報と、前記上りアクセスリンク品質測定部が測定した参照信号の受信品質を示す情報と、の差分を算出する差分算出部と、
を備える基地局装置。
【請求項２】
前記差分算出部が算出した差分を、前記移動局装置に通知する差分送信部を備える請求項１に記載の基地局装置。
【請求項３】
前記差分算出部が算出した差分に基づいて、前記移動局装置での受信品質を示す情報の補正値を算出する補正値算出部と、
を備える請求項１乃至２に記載の基地局装置。
【請求項４】
前記移動局装置での受信品質を示す情報は、チャネル品質情報である請求項３に記載の基地局装置。
【請求項５】
前記差分は、信号対干渉雑音電力比の差分である請求項１乃至４のいずれかに記載の基地局装置。
【請求項６】
前記差分は、受信電力の差分である請求項１乃至４のいずれかに記載の基地局装置。
【請求項７】
基地局装置と直接又は中継局装置を介して通信する移動局装置において、
基地局装置から送信された参照信号を測定する下りダイレクトリンク品質測定部と、
参照信号を送信する参照信号送信部と、
差分情報を、前記基地局装置から受信する差分受信部と、
前記下りダイレクトリンク品質測定部での測定結果と、前記差分受信部が受信した差分情報を用いて、自装置での受信品質を示す情報を算出する受信品質算出部と、
を備え、
前記差分情報は、前記参照信号送信部の送信した参照信号を用いて算出された前記中継局装置での受信品質を示す情報と、前記参照信号送信部の送信した参照信号を用いて算出された前記基地局装置での受信品質を示す情報と、の差分を示す情報である移動局装置。
【請求項８】
基地局装置と直接又は中継局装置を介して通信する移動局装置において、
基地局装置から送信された参照信号を測定する下りダイレクトリンク品質測定部と、
参照信号を送信する参照信号送信部と、
差分情報を、前記基地局装置から受信する差分受信部と、
前記下りダイレクトリンク品質測定部での測定結果と、前記差分受信部が受信した差分情報を用いて、自装置での受信品質を示す情報を算出する受信品質算出部と、
を備え、
前記差分情報は、前記参照信号送信部の送信した参照信号を用いて算出された前記中継局装置での信号対干渉雑音電力比と前記参照信号送信部の送信した参照信号を用いて算出された前記基地局装置での信号対干渉雑音電力比の差分を示す情報である移動局装置。
【請求項９】
基地局装置と直接又は中継局装置を介して通信する移動局装置において、
基地局装置から送信された参照信号を測定する下りダイレクトリンク品質測定部と、
参照信号を送信する参照信号送信部と、
差分情報を、前記基地局装置から受信する差分受信部と、
前記下りダイレクトリンク品質測定部での測定結果と、前記差分受信部が受信した差分情報を用いて、自装置での受信品質を示す情報を算出する受信品質算出部と、
を備え、
前記差分情報は、前記参照信号送信部の送信した参照信号を用いて算出された前記中継局装置での受信電力と前記参照信号送信部の送信した参照信号を用いて算出された前記基地局装置での受信電力の差分を示す情報である移動局装置。
【請求項１０】
基地局装置と、中継局装置と、前記基地局装置と直接又は中継局装置を介して通信する移動局装置と、を備える通信システムにおける通信制御方法において、
参照信号送信指示部が、参照信号の送信を、前記移動局装置に対して指示する第１のステップと、
参照信号測定指示部が、前記移動局装置が送信した参照信号の測定を、前記中継局装置に対して指示する第２のステップと、
上りアクセスリンク品質測定部が、前記移動局装置から前記基地局装置へ送信された参照信号を測定する第３のステップと、
差分算出部が、前記第２のステップでの指示に対する測定結果の情報であって中継局装置での受信品質を示す情報と、前記第３のステップで測定した参照信号の受信品質を示す情報と、の差分を算出する第４のステップと、
下りダイレクトリンク品質測定部が、前記基地局装置から前記移動局装置へ送信された参照信号を測定する第５のステップと、
受信品質算出部が、前記第５のステップでの測定結果と、前記第４のステップで算出された差分を用いて、前記移動局装置での受信品質を示す情報を算出する第６のステップと、
を有する通信制御方法。
【請求項１１】
基地局装置と、中継局装置と、前記基地局装置と直接又は中継局装置を介して通信する移動局装置と、を備える通信システムにおける通信制御方法において、
参照信号送信指示部が、参照信号の送信を、前記移動局装置に対して指示する第１のステップと、
参照信号測定指示部が、前記移動局装置が送信した参照信号の測定を、前記中継局装置に対して指示する第２のステップと、
上りアクセスリンク品質測定部が、前記移動局装置から前記基地局装置へ送信された参照信号を測定する第３のステップと、
差分算出部が、前記第２のステップでの指示に対する測定結果の情報であって中継局装置での受信品質を示す情報と、前記第３のステップで測定した参照信号の受信品質を示す情報と、の差分を算出する第４のステップと、
補正値算出部が、前記第４のステップで算出した差分に基づいて、前記移動局装置での受信品質を示す情報の補正値を算出する第５のステップと、
下りダイレクトリンク品質測定部が、前記基地局装置から前記移動局装置へ送信された参照信号を測定する第６のステップと、
受信品質算出部が、前記第６のステップでの測定結果と、前記第５のステップで算出された補正値を用いて、前記移動局装置での受信品質を示す情報を算出する第７のステップと、
を有する通信制御方法。
【発明の詳細な説明】
【技術分野】
【０００１】
本発明は、基地局装置、移動局装置、及び、通信制御方法に関する。
本願は、２０１０年３月３０日に日本に出願された特願２０１０−０７７３９１号、及び２０１０年４月２６日に日本に出願された特願２０１０−１０１４０９号に基づき優先権を主張し、その内容をここに援用する。
【背景技術】
【０００２】
現在、次世代移動通信システムであるＬＴＥ（Ｌｏｎｇ  Ｔｅｒｍ  Ｅｖｏｌｕｔｉｏｎ）について検討されている。ＬＴＥでの物理チャネルは、非特許文献１に記載されている。また、ＬＴＥでの物理レイヤにおいて、基地局装置（以下、「ｅＮＢ（ｅｖｏｌｖｅｄ  Ｎｏｄｅ  Ｂ、発展型ノードＢ）」とも称する）から移動局装置（以下、「ＵＥ（Ｕｓｅｒ  Ｅｑｕｉｐｍｅｎｔ）」とも称する）に向かうダウンリンクは、ダウンリンクフィジカルチャネルとダウンリンクフィジカルシグナルとから構成される。
ここで、ダウンリンクフィジカルシグナルはリファレンスシグナルと同期シグナルから構成される。リファレンスシグナルには、Ｃｅｌｌ−Ｓｐｅｃｉｆｉｃ（セル固有）リファレンスシグナルとＵＥ−Ｓｐｅｃｉｆｉｃ（移動局固有）リファレンスシグナル及びＭＢＳＦＮリファレンスシグナルがある。同期シグナルとＣｅｌｌ−ＳｐｅｃｉｆｉｃリファレンスシグナルはＵＥがセルの検出を行うために必要な信号であり、また、チャネルの復調を行うために必要な信号である。【０００３】
一方、ＵＥとｅＮＢで信号を中継（リレー）するリレーノード（ＲＮ、以下、「中継局装置」とも称する）の利用が検討されている。ＲＮは特定のｅＮＢを介してネットワークに接続するが、このＲＮが接続するｅＮＢをドナーｅＮＢという。
リレーノードとしては、ドナーｅＮＢとは異なる物理セルＩＤを持ち、ドナーｅＮＢとは異なるセルを構成するＴｙｐｅ１と、ｅＮＢとは異なるセルを構成しないＴｙｐｅ２とが定義されている。【０００４】
Ｔｙｐｅ１のＲＮを中継に用いるＵＥは、ＲＮから受信したＣｅｌｌ−ＳｐｅｃｉｆｉｃリファレンスシグナルのＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ；信号対干渉雑音電力比）と受信機の性能からＣＱＩ（Ｃｈａｎｎｅｌ  Ｑｕａｌｉｔｙ  Ｉｎｄｉｃａｔｏｒ；チャネル品質）を算出してフィードバックする。ＲＮは受信したＣＱＩに応じて適切なリソースを選択し、ＭＣＳ（Ｍｏｄｕｌａｔｉｏｎ  ａｎｄ  Ｃｏｄｉｎｇ  Ｓｃｈｅｍｅ；変調方式及び符号化方式）を決定し、ＵＥに向けて送信する。
【先行技術文献】
【非特許文献】
【０００５】
【非特許文献１】３ＧＰＰ  ＴＳ３６．２１１  ＬＴＥ  Ｐｈｙｓｉｃａｌ  Ｃｈａｎｎｅｌｓ  ａｎｄ  Ｍｏｄｕｌａｔｉｏｎ  ｖ８．７．０
【非特許文献２】ＺＴＥ，Ｉｍｐａｃｔ  ｏｆ  Ｉｎｓｕｆｆｉｃｉｅｎｔ  Ｌｉｎｋ  Ａｄａｐｔａｔｉｏｎ  ｉｎ  Ｔｙｐｅ  ＩＩ  Ｒｅｌａｙ，３ＧＰＰ  ＴＳＧ−ＲＡＮ  Ｒ１−０９３１９９，Ａｕｇｕｓｔ  ２４−２８，２００９．
【発明の概要】
【発明が解決しようとする課題】
【０００６】
しかしながら、Ｔｙｐｅ２のＲＮは、独自の物理セルＩＤを持たず、新たなセルを構成する要素とはならない。例えば、Ｔｙｐｅ２のＲＮは、ｅＮＢが送信する全ての信号を中継するわけではなく、同期シグナルやＣｅｌｌ−Ｓｐｅｃｉｆｉｃリファレンスシグナル、ＰＤＣＣＨなどの制御チャネルは送信しない。つまり、Ｔｙｐｅ２の中継局装置（ＲＮ）を中継に用いる移動局装置（ＵＥ）では、ＲＮからＣｅｌｌ−Ｓｐｅｃｉｆｉｃリファレンスシグナルを受信することができない。
よって、このＵＥでは、ドナーｅＮＢから受信したＣｅｌｌ−Ｓｐｅｃｉｆｉｃリファレンスシグナルを用いてＣＱＩを算出するため、通信経路に合致したＣＱＩを算出できないという問題があった。【０００７】
本発明は上記の点に鑑みてなされたものであり、通信経路に合致したＣＱＩを算出できる基地局装置、移動局装置、及び、通信制御方法を提供する。
【課題を解決するための手段】
【０００８】
（１）本発明は上記の課題を解決するためになされたものであり、本発明は、移動局装置と直接又は中継局装置を介して通信する基地局装置において、参照信号の送信を、前記移動局装置に対して指示する参照信号送信指示部と、前記移動局装置が送信した参照信号の測定を、前記中継局装置に対して指示する参照信号測定指示部と、を備える基地局装置である。【０００９】
（２）また、本発明は、上記の基地局装置において、前記参照信号測定指示部の指示に対する測定結果の情報であって前記中継局装置での受信品質を示す情報を、受信する品質情報受信部を備える。【００１０】
（３）また、本発明は、上記の基地局装置において、前記移動局装置が送信した参照信号を測定する上りアクセスリンク品質測定部と、前記品質情報受信部が受信した中継局装置での受信品質を示す情報と、前記上りアクセスリンク品質測定部が測定した参照信号の受信品質を示す情報と、の差分を算出する差分算出部と、を備える。【００１１】
（４）また、本発明は、上記の基地局装置において、前記差分算出部が算出した差分を、前記移動局装置に通知する差分送信部を備える。【００１２】
（５）また、本発明は、上記の基地局装置において、前記差分算出部が算出した差分に基づいて、前記移動局装置での受信品質を示す情報の補正値を算出する補正値算出部と、を備える。【００１３】
（６）また、本発明は、上記の基地局装置において、前記移動局装置での受信品質を示す情報は、チャネル品質情報である。【００１４】
（７）また、本発明は、上記の基地局装置において、前記差分は信号対干渉雑音電力比の差分である。【００１５】
（８）また、本発明は、上記の基地局装置において、前記差分は、受信電力の差分である。【００１６】
（９）また、本発明は、基地局装置と直接又は中継局装置を介して通信する移動局装置において、基地局装置から送信された参照信号を測定する下りダイレクトリンク品質測定部と、参照信号を送信する参照信号送信部と、差分情報を、前記基地局装置から受信する差分受信部と、前記下りダイレクトリンク品質測定部での測定結果と、前記差分受信部が受信した差分情報を用いて、自装置での受信品質を示す情報を算出する受信品質算出部と、を備える移動局装置である。【００１７】
（１０）また、本発明は、上記の移動局装置において、前記差分情報は、前記参照信号送信部の送信した参照信号を用いて算出された前記中継局装置での受信品質を示す情報と、前記参照信号送信部の送信した参照信号を用いて算出された前記基地局装置での受信品質を示す情報と、の差分を示す情報であることを特徴とする。【００１８】
（１１）また、本発明は、上記の移動局装置において、前記差分情報は、前記参照信号送信部の送信した参照信号を用いて算出された前記中継局装置での信号対干渉雑音電力比と前記参照信号送信部の送信した参照信号を用いて算出された前記基地局装置での信号対干渉雑音電力比の差分を示す情報であることを特徴とする。【００１９】
（１２）また、本発明は、上記の移動局装置において、前記差分情報は、前記参照信号送信部の送信した参照信号を用いて算出された前記中継局装置での受信電力と前記参照信号送信部の送信した参照信号を用いて算出された前記基地局装置での受信電力の差分を示す情報であることを特徴とする。【００２０】
（１３）また、本発明は、基地局装置と、中継局装置と、前記基地局装置と直接又は中継局装置を介して通信する移動局装置と、を備える通信システムにおける通信制御方法において、参照信号送信指示部が、参照信号の送信を、前記移動局装置に対して指示する第１のステップと、参照信号測定指示部が、前記移動局装置が送信した参照信号の測定を、前記中継局装置に対して指示する第２のステップと、上りアクセスリンク品質測定部が、前記移動局装置から前記基地局装置へ送信された参照信号を測定する第３のステップと、差分算出部が、前記第２のステップでの指示に対する測定結果の情報であって中継局装置での受信品質を示す情報と、前記第３のステップで測定した参照信号の受信品質を示す情報と、の差分を算出する第４のステップと、下りダイレクトリンク品質測定部が、前記基地局装置から前記移動局装置へ送信された参照信号を測定する第５のステップと、受信品質算出部が、前記第５のステップでの測定結果と、前記第４のステップで算出された差分を用いて、自装置での受信品質を示す情報を算出する第６のステップと、を有する通信制御方法である。【００２１】
（１４）また、本発明は、基地局装置と、中継局装置と、前記基地局装置と直接又は中継局装置を介して通信する移動局装置と、を備える通信システムにおける通信制御方法において、参照信号送信指示部が、参照信号の送信を、前記移動局装置に対して指示する第１のステップと、参照信号測定指示部が、前記移動局装置が送信した参照信号の測定を、前記中継局装置に対して指示する第２のステップと、上りアクセスリンク品質測定部が、前記移動局装置から前記基地局装置へ送信された参照信号を測定する第３のステップと、差分算出部が、前記第２のステップでの指示に対する測定結果の情報であって中継局装置での受信品質を示す情報と、前記第３のステップで測定した参照信号の受信品質を示す情報と、の差分を算出する第４のステップと、補正値算出部が、前記第４のステップで算出した差分に基づいて、前記移動局装置での受信品質を示す情報の補正値を算出する第５のステップと、下りダイレクトリンク品質測定部が、前記基地局装置から前記移動局装置へ送信された参照信号を測定する第６のステップと、受信品質算出部が、前記第６のステップでの測定結果と、前記第５のステップで算出された差分を用いて、前記移動局装置での受信品質を示す情報を算出する第７のステップと、を有する通信制御方法である。
【発明の効果】
【００２２】
本発明によれば、通信経路に合致したＣＱＩを算出できる。
【図面の簡単な説明】
【００２３】
【図１】本発明の第１の実施形態に係る無線通信システムの概念図である。
【図２】本実施形態に係る物理レイヤを示す概略図である。
【図３】本実施形態に係る移動局装置のハードウェア構成を示す概略ブロック図である。
【図４】本実施形態に係る品質情報対応表の一例を示す概略図である。
【図５】本実施形態に係る中継局装置のハードウェア構成を示す概略ブロック図である。
【図６】本実施形態に係る基地局装置のハードウェア構成を示す概略ブロック図である。
【図７】本実施形態に係る各制御回路の論理的な構成を示す概略ブロック図である。
【図８】本実施形態に係る無線通信システムの動作の一例を示すシーケンス図である。
【図９】本実施形態に係るｅＮＢ制御回路の動作の一例を示すフロー図である。
【図１０】本実施形態に係る移動局装置での補正無ＣＱＩの一例を示す概略図である。
【図１１】本実施形態に係る移動局装置での補正有ＣＱＩの一例を示す概略図である。
【図１２】本実施形態に係る移動局装置でのＣＱＩの一例を示す概略図である。
【図１３】移動局装置に割り当てる無線リソースの一例を示す概略図である。
【図１４】本発明の第２の実施形態に係る各制御回路の論理的な構成を示す概略ブロック図である。
【図１５】本実施形態に係る無線通信システムの動作の一例を示すシーケンス図である。
【図１６】本実施形態に係るｅＮＢ制御回路の動作の一例を示すフロー図である。
【図１７】本実施形態に係る基地局装置が算出するＣＱＩの一例を示す概略図である。
【発明を実施するための形態】
【００２４】
（第１の実施形態）
以下、図面を参照しながら本発明の第１の実施形態について詳しく説明する。
【００２５】
＜無線通信システム１について＞
図１は、本発明の第１の実施形態に係る無線通信システム１の概念図である。この図において、無線通信システム１は、移動局装置（ＵＥ）１１、基地局装置（ｅＮＢ）１３、及び中継局装置（ＲＮ）１２を備える。中継局装置１２は、移動局装置１１と基地局装置１３との間で信号を中継する。なお、中継局装置１２は、例えば、建物内や地下など弱電界の環境、ユーザが密集している環境に設置される。
【００２６】
図１において、移動局装置１１は、基地局装置１３のセルＣ１に在圏する。移動局装置１１は、基地局装置１３と中継局装置１２を介さずに、直接通信する（この通信態様を「ワンホップ」とも称する）。又は、移動局装置１１は、基地局装置１３と中継局装置１２を介して通信する（この通信態様を「ツーホップ」とも称する）。なお、この図において、基地局装置１３と中継局装置１２間の接続は無線方式であるが、有線方式による接続であってもよい。
また、移動局装置１１と基地局装置１３との間の通信路をダイレクトリンク（ＤＬ）２０と呼ぶ。移動局装置１１と中継局装置１２との間の通信路をアクセスリンク（ＡＬ）１０と呼ぶ。基地局装置１３と中継局装置１２との間の通信路をリレーリンク（ＲＬ）３０（バックホールとも称する）と呼ぶ。
【００２７】
なお、図１では、無線通信システム１が、基地局装置１３を１つ備える場合について説明をしたが、複数の基地局装置１３を備えていてもよい。また、図１では、無線通信システム１は、基地局装置１３のエリア内に、１つの中継局装置１２及び１つの移動局装置１１を備える場合について説明したが、複数のＲＮ１２及び複数の移動局装置１１を備えてもよい。即ち、１つの基地局装置１３は、複数の中継局装置１２と通信を行ってもよい。また、１つの基地局装置１３は、複数の移動局装置１１と、中継局装置１２を介して又は直接通信を行ってもよい。１つの基地局装置１３のエリア内に複数の中継局装置１２を配置することにより、多くのエリアの小さいセルを配置するのと同様な効果があり、単位面積あたりの収容移動局装置数を増加させる効果が得られる。さらにｅＮＢでなく中継局装置１２を用いることによって設置、運用コストを安価に抑えることが可能となる。
【００２８】
図２は、本実施形態に係る物理レイヤを示す概略図である。この図は、移動局装置１１と基地局装置１３との間の通信における物理レイヤを示す。
この図において、物理チャネルは、基地局装置１３から移動局装置１１に向かうダウンリンクフィジカルチャネルＤ１とダウンリンクフィジカルシグナルＤ２とから構成される。また、物理チャネルは、移動局装置１１から基地局装置１３に向かうアップリンクフィジカルチャネルＵ１とアップリンクフィジカルシグナルＵ２とから構成される。
【００２９】
ダウンリンクフィジカルチャネルＤ１は、データを伝送する物理ダウンリンクシェアドチャネル（ＰＤＳＣＨ）と、マルチキャストチャネルを伝送する物理マルチキャストチャネルと（ＰＭＣＨ）と、Ｌ１／Ｌ２制御情報を伝送する物理ダウンリンク制御チャネルと（ＰＤＣＣＨ）と、セル固有の報知情報を伝送する物理ブロードキャストチャネル（ＰＢＣＨ）と、ＰＤＣＣＨを伝送するＯＦＤＭシンボル数を伝送する物理コントロールフォーマットインジケータチャネル（ＰＣＦＩＣＨ）とアップリンクのＨＡＲＱに対応するＡＣＫ／ＮＡＣＫを伝送する物理ハイブリッドＡＲＱインジケータチャネル（ＰＨＩＣＨ）から構成される。
ダウンリンクフィジカルシグナルＤ２はリファレンスシグナルと同期シグナルから構成される。リファレンスシグナルには、Ｃｅｌｌ−Ｓｐｅｃｉｆｉｃ（セル固有）リファレンスシグナルとＵＥ−Ｓｐｅｃｉｆｉｃ（移動局固有）リファレンスシグナル及びＭＢＳＦＮリファレンスシグナルがある。同期シグナルとＣｅｌｌ−Ｓｐｅｃｉｆｉｃリファレンスシグナルは、移動局装置１１がセルの検出を行うために必要な信号であり、また、チャネルの復調を行うために必要な信号である。
【００３０】
アップリンクフィジカルチャネルＵ１は、ランダムアクセスを行うランダムアクセスチャネル（ＰＲＡＣＨ）と、基地局装置１３のスケジュール管理にしたがってアップリンクデータの送信を行うアップリンクシェアドチャネル（ＰＵＳＣＨ）と、ダウンリンク信号に関連する制御信号等の送信を行うアップリンク制御チャネル（ＰＵＣＣＨ）から構成される。
アップリンクフィジカルシグナルＵ２はリファレンスシグナルから構成される。リファレンスシグナルにはＳＲＳ（Ｓｏｕｎｄｉｎｇ  Ｒｅｆｅｒｅｎｃｅ  Ｓｉｇｎａｌ）とＤＭ  ＲＳ（Ｄｅｍｏｄｕｌａｔｉｏｎ  Ｒｅｆｅｒｅｎｃｅ  Ｓｉｇｎａｌ）が含まれる。ＳＲＳは主にアップリンクの通信路の測定に用いられるリファレンスシグナルであり、ＤＭ  ＲＳはアップリンクチャネルの復調に用いられるものである。
【００３１】
＜移動局装置１１の構成について＞
図３は、本実施形態に係る移動局装置１１のハードウェア構成を示す概略ブロック図である。この図において、移動局装置１１は、送受信アンテナ１１１、送受信回路１１２、ＵＥ制御回路Ａ１、及び周辺回路１１５を含んで構成される。ここで、ＵＥ制御回路Ａ１は、記憶部１１３及び演算部１１４を含んで構成される。
【００３２】
送受信アンテナ１１１は、移動局装置１１が用いる周波数帯域にて、所定の利得で電波を送受信する。
送受信回路１１２は、送受信アンテナ１１１を介して受信した受信信号を所定の電力値まで増幅する。送受信回路１１２は、増幅した受信信号をベースバンド信号に変換する。また、送受信回路１１２は、変換したベースバンド信号をＵＥ制御回路Ａ１に出力する。
また、送受信回路１１２は、ＵＥ制御回路Ａ１から入力されたベースバンド信号を無線周波数帯の送信信号に変換する。送受信回路１１２は、変換した送信信号を所定の電力値まで増幅し、増幅した無線信号を、送受信アンテナ１１１を介して送信する。
【００３３】
ＵＥ制御回路Ａ１の記憶部１１３は、基地局装置１３が送信するリファレンスシグナル（ダウンリンクのＣｅｌｌ−Ｓｐｅｃｉｆｉｃリファレンスシグナル）のパターン（波形；リファレンスシグナルパターン）を予め記憶する。また、記憶部１１３は、自装置が送信するアップリンクのリファレンスシグナルパターン（ＳＲＳ）を予め記憶する。また、記憶部１１３は、ＳＩＮＲとＣＱＩを対応付けた品質情報対応表（図４参照）を予め記憶する。ここで、ＣＱＩとは、測定したＳＩＮＲにおいて基準となる誤り率の条件を満たす通信が可能となるような送信フォーマットを表す指標であり、一般にＳＩＮＲからテーブル（品質情報対応表）を参照して得られる。ＳＩＮＲを直接通知するより情報量を削減できるので、下位レイヤでの通知が可能である。
【００３４】
ＵＥ制御回路Ａ１の演算部１１４は、周辺回路１１５から入力されたデータに対して、アナログ／ディジタル変換、符号化、及び、変調の処理を施すことにより、ベースバンド信号を生成する。ＵＥ制御回路Ａ１は、生成したベースバンド信号を、送受信回路１１２に出力する。また、演算部１１４は、送受信回路１１２から入力されたベースバンド信号に対して、復調、復号、及びディジタル／アナログ変換の処理を施すことにより、データ信号を生成して、周辺回路１１５に出力する。
【００３５】
演算部１１４は、送受信回路１１２から入力されたベースバンド信号から、基地局装置１３が送信したリファレンスシグナルを抽出する。ＵＥ制御回路Ａ１は、抽出したリファレンスシグナルを用いて、希望受信信号電力を算出する。また、演算部１１４は、他の基地局装置からの信号等による干渉信号電力を算出する。
演算部１１４は、算出した希望受信信号電力と干渉信号電力の比を算出することにより、ＳＩＮＲ（ＳＩＮＲ＿ＤＤＬ；下りダイレクトリンクのＳＩＮＲ）を算出する。ＳＩＮＲは、無線チャネルの品質を示すパラメータの一つであり、ＳＩＮＲが大きい場合には、無線通信システムでは、チャネル符号化の冗長度を減らしたり、多値の変調を選択することにより限られたリソースで多くの情報を伝送することができる。ＳＩＮＲが小さい場合には誤りが生じやすいため、無線通信システムでは、チャネル符号化の冗長度を増やしたり、多値数の少ない変調を選択する必要があり、伝送速度は遅くなる。しかし、ＳＩＮＲから直接スループットを算出することは難しい。ＳＩＮＲの算出には受信電力と干渉および雑音電力が必要であり、受信信号電力Ｐをパラメータに用いることに比べると算出に負荷はかかるが、より信頼性の高いパラメータとなる。
【００３６】
演算部１１４は、送受信回路１１２から入力されたベースバンド信号から、基地局装置１３から通知されたΔＳＩＮＲ（またはΔＰ）を示す情報を抽出する。演算部１１４は、算出したＳＩＮＲ＿ＤＤＬと、抽出した情報が示すΔＳＩＮＲと、を用いて補正したＳＩＮＲ（補正ＳＩＮＲという）を算出する。
演算部１１４は、記憶部１１３が記憶する品質情報対応表を参照して、算出したＳＩＮＲ＿ＤＤＬ又は補正ＳＩＮＲをＣＱＩに変換する。なお、ＳＩＮＲ＿ＤＤＬを変換したＣＱＩを補正無ＣＱＩといい、補正ＳＩＮＲを変換したＣＱＩを補正有ＣＱＩという）。演算部１１４は、変換したＣＱＩを示す情報を含むベースバンド信号を生成して、送受信回路１１２に出力する。演算部１０５は、記憶部１１３が記憶するリファレンスシグナルパターンに基づいて、リファレンスシグナルを生成して、送受信回路１１２に出力する。
なお、ＵＥ制御回路Ａ１が行う処理の詳細については、後述する。
【００３７】
周辺回路１１５は、表示部（図示せず）やスピーカ（図示せず）等を制御する各種回路である。例えば、周辺回路１１５は、ＵＥ制御回路Ａ１から入力された音声信号に基づいて、受話部のスピーカに音声を出力させる。また、周辺回路１１５は、送話部マイクから音声を入力し、入力した音声信号をＵＥ制御回路Ａ１に出力する。また、周辺回路１１５は、ＵＥ制御回路Ａ１からの指示に従って、表示部に各種情報を表示させる。なお、図３では１つの周辺回路１１５を示したが、移動局装置１１は複数の周辺回路１１５を備えていてもよい。
【００３８】
なお、上述のアナログ／ディジタル変換の処理は、例えば、音声信号を８ｋＨｚのサンプリング速度でサンプリングしてディジタル信号に変換する処理であるがこれに限られない。また、ディジタル／アナログ変換の処理は、例えば、逆にディジタル信号を音声信号に変換する処理であるがこれに限られない。また、上述の符号化及び復号処理は、例えば、符号化率が変更可能なターボ符号化、及び、Ｍａｘ−Ｌｏｇ−ＭＡＰアルゴリズムを用いた復号化処理であるがこれに限られない。変調及び復調は、例えば、ビット列をＱＰＳＫや１６ＱＡＭの信号点をもちいた信号にマッピングし、また、ベースバンド信号を、尤度情報を含むビット列に変換する軟判定復調であるが、これに限られない。
【００３９】
図４は、本実施形態に係る品質情報対応表の一例を示す概略図である。図示するように、品質情報対応表は、ＣＱＩ及びＳＩＮＲの各項目の列を有している。
この図では、例えば、ＳＩＮＲが「−１０」ｄＢ未満の場合には、ＣＱＩが「０」であることを示す。また、この図では、ＳＩＮＲが「−１０」ｄＢ以上で「−８」ｄＢ未満の場合には、ＣＱＩが「１」であることを示す。
【００４０】
＜中継局装置１２の構成について＞
図５は、本実施形態に係る中継局装置１２のハードウェア構成を示す概略ブロック図である。この図において、中継局装置１２は、送受信アンテナ１２１、対ＵＥ用送受信回路１２２、対ｅＮＢ用送受信回路１２３、ＲＮ制御回路Ｂ１を含んで構成される。ここで、ＲＮ制御回路Ｂ１は、記憶部１２４及び演算部１２５を含んで構成される。
【００４１】
送受信アンテナ１２１は、中継局装置１２が用いる周波数帯域にて、所定の利得で電波を送受信する。
対ＵＥ用送受信回路１２２は、送受信アンテナ１２１を介して受信した受信信号を所定の電力値まで増幅する。対ＵＥ用送受信回路１２２は、増幅した受信信号をベースバンド信号に変換する。対ＵＥ用送受信回路１２２は、変換したベースバンド信号をＲＮ制御回路Ｂ１に出力する。
また、対ＵＥ用送受信回路１２２は、ＲＮ制御回路Ｂ１から入力されたベースバンド信号を無線周波数帯の送信信号に変換する。対ＵＥ用送受信回路１２２は、変換した送信信号を所定の電力値まで増幅し、増幅した無線信号を、送受信アンテナ１２１を介して送信する。
【００４２】
対ｅＮＢ用送受信回路１２３は、ＲＮ制御回路Ｂ１から入力された信号を基地局装置１３へ送信する。また、対ｅＮＢ用送受信回路１２３は、信号をＲＮ制御回路Ｂ１に出力する。なお、対ｅＮＢ用送受信回路１２３が行う通信は、有線通信であっても無線通信であってもよい。また、無線通信の場合には、対ＵＥ用送受信回路１２２と対ｅＮＢ用送受信回路１２３は、１個の送受信回路であってもよい。
【００４３】
ＲＮ制御回路Ｂ１の記憶部１２４は、移動局装置１１が送信するリファレンスシグナルパターンを予め記憶する。
ＲＮ制御回路Ｂ１の演算部１２５は、対ｅＮＢ用送受信回路１２３から入力された信号に対して、アナログ／ディジタル変換、符号化、及び、変調の処理を施すことにより、ベースバンド信号を生成する。演算部１２５は、生成したベースバンド信号を、対ＵＥ用送受信回路１２２に出力する。また、演算部１２５は、対ＵＥ用送受信回路１２２から入力されたベースバンド信号に対して、復調、復号、及びディジタル／アナログ変換の処理を施すことにより、データ信号を生成する。演算部１２５は、送信先（基地局装置１３）の情報を含む制御信号を生成し、生成した制御信号及びデータ信号からなる信号を対ｅＮＢ用送受信回路１２３に出力する。
【００４４】
演算部１２５は、対ＵＥ用送受信回路１２２から入力されたベースバンド信号から、移動局装置１１が送信したリファレンスシグナル（アップリンクのＳＲＳ）を抽出して、希望受信信号電力を算出する。また、演算部１２５は、他の移動局装置からの信号等による干渉信号電力を算出する。
演算部１２５は、算出した希望受信信号電力と干渉信号電力の比を算出することにより、ＳＩＮＲ（ＳＩＮＲ＿ＵＡＬ；上りアクセスリンクのＳＩＮＲ）を算出する。また、演算部１２５は、対ＵＥ用送受信回路１２２から入力されたベースバンド信号から、移動局装置１１が送信したＣＱＩを示す情報を抽出する。
演算部１２５は、算出したＳＩＮＲ＿ＵＡＬを示す情報と、抽出したＣＱＩを示す情報と、を含むデータ信号を生成して、対ｅＮＢ用送受信回路１２３に出力する。
なお、ＲＮ制御回路Ｂ１が行う処理の詳細については、後述する。
【００４５】
＜基地局装置１３の構成について＞
図６は、本実施形態に係る基地局装置１３のハードウェア構成を示す概略ブロック図である。この図において、基地局装置１３は、送受信アンテナ１３１、対ＵＥ用送受信回路１３２、対ＲＮ用送受信回路１３３、ｅＮＢ制御回路Ｃ１、及びＮＷ（ネットワーク）側通信回路１３６を含んで構成される。ここで、ｅＮＢ制御回路Ｃ１は、記憶部１３４及び演算部１３５を含んで構成される。
【００４６】
送受信アンテナ１３１は、基地局装置１３が用いる周波数帯域にて、所定の利得で電波を送受信する。
対ＵＥ用送受信回路１３２は、送受信アンテナ１３１を介して受信した受信信号を所定の電力値まで増幅する。対ＵＥ用送受信回路１３２は、増幅した受信信号をベースバンド信号に変換する。対ＵＥ用送受信回路１３２は、変換したベースバンド信号をｅＮＢ制御回路Ｃ１に出力する。
また、対ＵＥ用送受信回路１３２は、ｅＮＢ制御回路Ｃ１から入力されたベースバンド信号を無線周波数帯の送信信号に変換する。対ＵＥ用送受信回路１３２は、変換した送信信号を所定の電力値まで増幅し、増幅した無線信号を、送受信アンテナ１３１を介して送信する。
【００４７】
対ＲＮ用送受信回路１３３は、ｅＮＢ制御回路Ｃ１から入力された信号を中継局装置１２へ送信する。また、対ＲＮ用送受信回路１３３は、信号をｅＮＢ制御回路Ｃ１に出力する。なお、対ＲＮ用送受信回路１３３が行う通信は、有線通信であっても無線通信であってもよい。また、無線通信の場合には、対ＵＥ用送受信回路１３２と対ＲＮ用送受信回路１３３は、１個の送受信回路であってもよい。
【００４８】
ｅＮＢ制御回路Ｃ１の記憶部１３４は、移動局装置１１が送信するリファレンスシグナル（アップリンクのＳＲＳ）パターンを予め記憶する。
ｅＮＢ制御回路Ｃ１の演算部１３５は、ＮＷ側通信回路１３６から入力された信号に対して、アナログ／ディジタル変換、符号化、及び、変調の処理を施すことにより、ベースバンド信号を生成する。演算部１３５は、生成したベースバンド信号を、対ＵＥ用送受信回路１３２又は対ＲＮ用送受信回路１３３に出力する。また、演算部１３５は、対ＵＥ用送受信回路１３２及び対ＲＮ用送受信回路１３３から入力されたベースバンド信号に対して、復調、復号、及びディジタル／アナログ変換の処理を施すことにより、データ信号を生成する。演算部１３５は、生成したデータ信号をＮＷ（側通信回路１３６に出力する。
【００４９】
演算部１３５は、対ＵＥ用送受信回路１３２から入力されたベースバンド信号から、移動局装置１１が送信したリファレンスシグナル（アップリンクのＳＲＳ）を抽出して、希望受信信号電力を算出する。また、演算部１３５は、他の移動局装置からの信号等による干渉信号電力を算出する。
演算部１３５は、算出した希望受信信号電力と干渉信号電力の比を算出することにより、ＳＩＮＲ（ＳＩＮＲ＿ＵＤＬ；上りダイレクトリンクのＳＩＮＲ）を算出する。
また、演算部１３５は、対ＵＥ用送受信回路１３２から入力されたベースバンド信号から、中継局装置１２が送信したＳＩＮＲ＿ＵＡＬを示す情報及びＣＱＩを示す情報を抽出する。
【００５０】
演算部１３５は、算出したＳＩＮＲ＿ＵＤＬと、抽出した情報が示すＳＩＮＲ＿ＵＡＬとの差分ΔＳＩＮＲを算出する。ここで、演算部１３５は、ＳＩＮＲがｄＢ（デシベル）で算出されている場合にはＳＩＮＲ＿ＵＤＬとＳＩＮＲ＿ＵＡＬとの差をΔＳＩＮＲとし、ＳＩＮＲが真値で算出されている場合にはＳＩＮＲ＿ＵＤＬとＳＩＮＲ＿ＵＡＬとの比をΔＳＩＮＲとする。
演算部１３５は、抽出した情報が示すＣＱＩに基づいて、移動局装置１１が用いる変調方式及び符号化方式を決定する。
演算部１３５は、算出したΔＳＩＮＲ及び決定した変調方式及び符号化方式を、対ＵＥ用送受信回路１３２を介して移動局装置１１へ通知する。
なお、ｅＮＢ制御回路Ｃ１が行う処理の詳細については、後述する。
ＮＷ側通信回路１３６は、他の基地局装置と通信を行う。
【００５１】
＜各制御回路が行う処理について＞
以下、図７〜図９を用いて、ＵＥ制御回路Ａ１、ＲＮ制御回路Ｂ１、及びｅＮＢ制御回路Ｃ１が行う処理の詳細について説明をする。
図７は、本実施形態に係る各制御回路の論理的な構成を示す概略ブロック図である。この図において、ＵＥ制御回路Ａ１は、ＲＳ（リファレンスシグナル）送信部Ａ１１、下りダイレクトリンク品質測定部Ａ１２、ＣＱＩ算出部Ａ１３、及びＣＱＩ送信部Ａ１４を含んで構成される。ｅＮＢ制御回路Ｃ１は、ＲＳ送信指示部Ｃ１１、ＲＳ測定指示部Ｃ１２、上りダイレクトリンク品質測定部Ｃ１３、差分算出部Ｃ１４、差分送信部Ｃ１５、及び通信制御部Ｃ１６を含んで構成される。ＲＮ制御回路Ｂ１は、上りアクセスリンク品質測定部Ｂ１１、及び上りアクセスリンク品質送信部Ｂ１２を含んで構成される。
【００５２】
図８は、本実施形態に係る無線通信システム１の動作の一例を示すシーケンス図である。以下、図７を参照しつつ、図８の無線通信システム１の動作について説明をする。
【００５３】
（ステップＳ１０１）ＲＳ送信指示部Ｃ１１は、リファレンスシグナルの送信を指示するＳＲＳ送信指示（ＳｏｕｎｄｉｎｇＲＳ−ＵＬ−Ｃｏｎｆｉｇメッセージ）を、移動局装置１１へ送信する。すなわち、ＲＳ送信指示部Ｃ１１（参照信号送信指示部）は、リファレンスシグナル（参照信号）の送信を、移動局装置１１に対して指示する。ここで、リファレンスシグナル（参照信号）とは、（１）既知のパターンであること、及び（２）送信局装置（希望局装置）のものと他の送信局装置（干渉局装置）のものとが区別できることを満たす信号である。その後、ステップＳ１０２に進む。
なお、ＲＳ送信指示部Ｃ１１は、移動局装置１１と基地局装置１３が通信を開始するときに、ＳＲＳ送信指示を送信してもよい。また、ＲＳ送信指示部Ｃ１１は、移動局装置１１が基地局装置１３とワンホップで通信する状態から、中継局装置１２を介するツーホップで通信する状態に遷移するときに、ＳＲＳ送信指示を送信してもよい。また、ＲＳ送信指示部Ｃ１１は、補正無ＣＱＩを用いた通信制御から補正有ＣＱＩを用いた通信制御に変更する指示を送信する際に、ＳＲＳ送信指示を送信してもよい。
【００５４】
（ステップＳ１０２）ＲＳ測定指示部Ｃ１２は、移動局装置１１が送信するリファレンスシグナルを測定することを指示するＳＲＳ測定指示（Ｒｅｓｏｕｒｃｅ  Ｓｔａｔｕｓ  Ｒｅｑｕｅｓｔメッセージ）を、中継局装置１２へ送信する。すなわち、ＲＳ測定指示部Ｃ１２（参照信号測定指示部）は、移動局装置１１が送信したリファレンスシグナル（参照信号）の測定を、中継局装置１２に対して指示する。その後、ステップＳ１０３に進む。
（ステップＳ１０３）ＲＳ送信部Ａ１１は、リファレンスシグナルを送信する。その後、ステップＳ１０４に進む。
【００５５】
（ステップＳ１０４）上りアクセスリンク品質測定部Ｂ１１は、ステップＳ１０３で送信されたリファレンスシグナルを用いて、ＳＩＮＲ＿ＵＡＬを算出する。その後、ステップＳ１０５に進む。
（ステップＳ１０５）上りダイレクトリンク品質測定部Ｃ１３は、ステップＳ１０３で送信されたリファレンスシグナルを用いて、ＳＩＮＲ＿ＵＤＬを算出する。その後、ステップＳ１０６に進む。
（ステップＳ１０６）上りアクセスリンク品質送信部Ｂ１２は、ステップＳ１０４で算出されたＳＩＮＲ＿ＵＡＬを示す情報を含むメッセージ（Ｒｅｓｏｕｒｃｅ  Ｓｔａｔｕｓ  Ｕｐｄａｔｅ）、基地局装置１３へ送信する。その後、ステップＳ１０７に進む。
【００５６】
（ステップＳ１０７）差分算出部Ｃ１４（品質情報受信部）は、ステップＳ１０６で送信された情報を受信する。差分算出部Ｃ１４は、受信した情報が示すＳＩＮＲ＿ＵＡＬと、ステップＳ１０５で算出されたＳＩＮＲ＿ＵＤＬと、に基づいて差分ΔＳＩＮＲを算出する。具体的には、差分算出部Ｃ１４は、ΔＳＩＮＲ＝ＳＩＮＲ＿ＵＡＬ−ＳＩＮＲ＿ＵＤＬを算出する。その後、ステップＳ１０８に進む。
（ステップＳ１０８）差分送信部Ｃ１５は、ステップＳ１０７で算出されたΔＳＩＮＲを示す情報を、移動局装置１１へ通知する。その後、ステップＳ１０９に進む。
【００５７】
（ステップＳ１０９）下りダイレクトリンク品質測定部Ａ１２は、基地局装置１３が送信したリファレンスシグナルを用いて、ＳＩＮＲ＿ＤＤＬを算出する。
ＣＱＩ算出部Ａ１３（差分受信部）は、ステップＳ１０８で通知されたΔＳＩＮＲを受信する。ＣＱＩ算出部Ａ１３は、下りダイレクトリンク品質測定部Ａ１２が算出したＳＩＮＲ＿ＤＤＬと、受信したΔＳＩＮＲを用いて、補正ＳＩＮＲを算出する。具体的には、補正ＳＩＮＲ＝ＳＩＮＲ＿ＤＤＬ＋ΔＳＩＮＲを算出する。
ＣＱＩ算出部Ａ１３は、算出した補正ＳＩＮＲを、品質情報対応表を用いてＣＱＩに変換する（変換後のＣＱＩが補正有ＣＱＩ）。ＣＱＩ送信部Ａ１４は、ＣＱＩ算出部Ａ１３が算出した補正有ＣＱＩを、基地局装置１３に送信する。その後、ステップＳ１１０に進む。
【００５８】
（ステップＳ１１０）通信制御部Ｃ１６は、ステップＳ１０９で送信された補正有ＣＱＩを受信し、受信した補正有ＣＱＩに基づいて、移動局装置１１に割り当てる無線リソースを決定する。また、通信制御部Ｃ１６は、ステップＳ１０９で送信された補正有ＣＱＩに基づいて、移動局装置１１が用いる変調方式及び符号化方式を決定する。
その後、無線通信システム１は、ステップＳ１０２〜Ｓ１１０の処理を繰り返す。一方、基地局装置１３が補正無ＣＱＩを用いた通信制御を行うと判定した場合、ステップＳ１１１に進む。
【００５９】
（ステップＳ１１１）差分送信部Ｃ１５は、ΔＳＩＮＲ＝０又は補正有ＣＱＩを用いた通信制御を中止することを示す情報を移動局装置１１へ送信する。その後、ステップＳ１１２に進む。
（ステップＳ１１２）ＣＱＩ算出部Ａ１３は、算出したＳＩＮＲ＿ＤＤＬを、品質情報対応表を用いてＣＱＩに変換する（変換後のＣＱＩが補正無ＣＱＩ）。ＣＱＩ送信部Ａ１４は、ＣＱＩ算出部Ａ１３が算出した補正無ＣＱＩを、基地局装置１３に送信する。その後、ステップＳ１１３に進む。
（ステップＳ１１３）通信制御部Ｃ１６は、ステップＳ１１１で送信された補正無ＣＱＩに基づいて、移動局装置１１に割り当てる無線リソースと、移動局装置１１が用いる変調方式及び符号化方式と、を決定する。その後、無線通信システム１は、ステップＳ１１１〜Ｓ１１３の処理を繰り返す。なお、基地局装置１３が補正有ＣＱＩを用いた通信制御を行うと判定した場合、ステップＳ１０１に戻る。
【００６０】
図９は、本実施形態に係るｅＮＢ制御回路Ｃ１の動作の一例を示すフロー図である。以下、図７を参照しつつ、図９のｅＮＢ制御回路Ｃ１の動作について説明をする。なお、図９の例では、１つの移動局装置１１に対する処理のみを記載しているが、基地局装置１３に複数の移動局装置が接続している場合、他の移動局装置のＣＱＩと比較して無線リソースと変調方式及び符号化方式を決定する（図１０参照）。
【００６１】
（ステップＳ２０１）差分算出部Ｃ１４は、移動局装置１１からＣＱＩを受信する。その後、ステップＳ２０２に進む。なお、本実施形態では、差分算出部Ｃ１４は、中継局装置１２を介してＣＱＩを受信するが、移動局装置１１から直接ＣＱＩを受信してもよい。
（ステップＳ２０２）差分算出部Ｃ１４は、移動局装置１１の接続先が中継局装置１２であるか又は基地局装置１３であるかを判定する。なお、スケジュール対象のタイムスロットで接続先が遷移する場合は、差分算出部Ｃ１４は、遷移後の接続先が中継局装置１２であるか又は基地局装置１３であるかを判定する。接続先が中継局装置１２であると判定した場合（Ｙｅｓ）、ステップＳ２０３に進む。一方、接続先が基地局装置１３であると判定した場合（Ｎｏ）、ステップＳ２０５に進む。
【００６２】
（ステップＳ２０３）差分算出部Ｃ１４は、ΔＳＩＮＲを算出する。その後、ステップＳ２０４に進む。
（ステップＳ２０４）差分送信部Ｃ１５は、ΔＳＩＮＲを移動局装置１１へ通知する。その後、ステップＳ２０５に進む。
なお、接続先が中継局装置１２でない場合には、差分送信部Ｃ１５は、ΔＳＩＮＲを移動局装置１１に通知しなくてもよいが、移動局装置１１がワンホップで通信する状態から、ツーホップで通信する状態に遷移する可能性が高い場合には、予めΔＳＩＮＲの通知を行ってもよい。なお、遷移する可能性が高い場合とは、例えば、移動局装置１１と基地局装置１３との間の通信品質が低い場合、又は、移動局装置１１と中継局装置１３との間の通信品質が高い場合、である。
【００６３】
（ステップＳ２０５）通信制御部Ｃ１６は、移動局装置１１から受信したＣＱＩに基づいて、移動局装置１１に割り当てる無線リソースと、移動局装置１１が用いる変調方式及び符号化方式と、を決定する。ここで、ステップＳ２０２の判定でＹｅｓの場合、ステップＳ２０５で用いるＣＱＩは補正有ＣＱＩである。一方、ステップＳ２０２の判定でＮｏの場合、ステップＳ２０５で用いるＣＱＩは補正無ＣＱＩであり、ステップＳ２０１で受信したものであってもよいし、ステップＳ２０２以降に移動局装置１１から受信したものであってもよい。その後、ステップＳ２０６に進む。
（ステップＳ２０６）通信制御部Ｃ１６は、ステップＳ２０５で決定した変調方式及び符号化方式で、移動局装置１１宛のダウンリンク信号を生成する。その後、ステップＳ２０７に進む。
（ステップＳ２０７）通信制御部Ｃ１６は、ステップＳ２０７で生成したダウンリンクの信号を、ステップＳ２０５で決定した無線リソースに割り当てて送信する。その後、動作を終了する。
【００６４】
＜無線リソースの割り当てについて＞
以下、図１０〜図１３を用いて無線リソースの割り当てについて説明をする。ここでは、無線通信システム１が、２つの移動局装置１１（移動局装置１１Ａ、移動局装置１１Ｂ）を備える場合について、スケジューリング及びリンクアダプテーションの制御について説明をする。
図１０は、本実施形態に係る移動局装置１１Ａでの補正無ＣＱＩの一例を示す概略図である。図１１は、本実施形態に係る移動局装置１１Ａでの補正有ＣＱＩの一例を示す概略図である。図１２は、本実施形態に係る移動局装置１１ＢでのＣＱＩの一例を示す概略図である。なお、図１０〜図１２において、横軸は時間を示し、縦軸は周波数を示す。
【００６５】
図１０は、補正無ＣＱＩを用いる場合に、移動局装置１１Ａが送信するＣＱＩの一例を示す概略図である。この図は、分割された時間Ｔ１〜Ｔ４（Ｔ１〜Ｔ４は中心時刻）毎に、移動局装置１１Ａにおける周波数帯域（ナローバンド）ｆ１〜ｆ４（ｆ１〜ｆ４は中心周波数）のＣＱＩを示す。図１０において、例えば、時間Ｔ１では、周波数帯域ｆ１〜ｆ４のＣＱＩは、それぞれ「９」、「１０」、「１１」、「１０」である。
また、図１０は、時間Ｔ５、Ｔ６毎に、周波数帯域ｆ１〜ｆ４を合わせた周波数帯域（ワイドバンド）のＣＱＩ（ワイドバンドＣＱＩという）を示す。この図は、時刻ｔ１で移動局装置１１Ａが中継局装置１２と接続し、ワイドバンドＣＱＩ（補正無ＣＱＩ）を算出していることを示す。例えば、時間Ｔ５では、ワイドバンドＣＱＩは「８」である。
図１０が補正無ＣＱＩを用いる場合の図であるのに対し、図１１は補正有ＣＱＩを用いる場合の図である。
【００６６】
図１１は、補正有ＣＱＩを用いる場合に、移動局装置１１Ａが送信するＣＱＩの一例を示す概略図である。この図は、時刻ｔ１で移動局装置１１Ａが中継局装置１２と接続し、ワイドバンドＣＱＩを算出していることを示す。また、この図は、時間Ｔ５、Ｔ６に、移動局装置１１Ａが算出したＳＩＮＲ（ＳＩＮＲ＿ＤＤＬ）にΔＳＩＮＲを加算し、加算後の補正ＳＩＮＲを用いて、ＣＱＩ（補正有ＣＱＩ）を算出したことを示す。
図１１において、例えば、時間Ｔ５では、ワイドバンドＣＱＩは「１０」であることを示す。つまり、図１０の場合と比較して、時間Ｔ５のワイドバンドＣＱＩが２だけ増加している。
【００６７】
図１２は、移動局装置１１Ｂが送信するＣＱＩの一例を示す概略図である。この図は、移動局装置１１Ｂが、時間Ｔ１〜Ｔ６において、ナローバンドＣＱＩを送信することを示す。例えば、時間Ｔ５では、周波数帯域ｆ１〜ｆ４のＣＱＩは、それぞれ「１１」、「９」、「９」、「８」である。
【００６８】
図１３は、移動局装置に割り当てる無線リソースの一例を示す概略図である。この図は、基地局装置１３が、図１１のＣＱＩを送信した移動局装置１１Ａ、及び、図１２のＣＱＩを送信した移動局装置１１Ｂに割り当てる無線リソースを示す。
図１３において、基地局装置１３は、各時間周波数領域において、ＣＱＩの値が大きい移動局装置に無線リソースを割り当てることを示す。例えば、基地局装置１３は、時間Ｔ５では、周波数帯域ｆ２〜ｆ４を移動局装置１１Ａ（ＣＱＩが「１０」）に、周波数帯域ｆ１を移動局装置１１Ｂ（ＣＱＩが「１１」）に割り当てる。
【００６９】
このように、本実施形態によれば、基地局装置１３は、リファレンスシグナルの送信を移動局装置１１に対して指示し、移動局装置１１が送信したリファレンスシグナルの測定を、中継局装置１２に対して指示する。基地局装置１３は、指示に対する測定結果の情報であって中継局装置１２でのＳＩＮＲ＿ＵＡＬを受信する。基地局装置１３は、移動局装置１１が送信したリファレンスシグナルを測定する。基地局装置１３は、受信したＳＩＮＲ＿ＵＡＬと、測定結果のＳＩＮＲ＿ＵＤＬと、の差分ΔＳＩＮＲを算出する。移動局装置１１は、基地局装置１３から送信されたリファレンスシグナルを測定する。移動局装置１１は、ΔＳＩＮＲを基地局装置から受信する。移動局装置１１は、測定結果のＳＩＮＲ＿ＤＤＬと、ΔＳＩＮＲを用いて、補正ＳＩＮＲを算出して補正有ＣＱＩに変換する。
これにより、本実施形態では、無線通信システム１は、中継局装置１２から移動局装置１１への通信経路に合致したＣＱＩを算出することができる。例えば、無線通信システム１では、中継局装置１２がリファレンスシグナルを送信できない場合でも、中継局装置１２から移動局装置１１への通信経路に合致したＣＱＩを算出することができる。
【００７０】
（第２の実施形態）
以下、図面を参照しながら本発明の第２の実施形態について詳しく説明する。
上記第１の実施形態では、移動局装置１１が補正ＳＩＮＲを算出して補正ＣＱＩに変換し、基地局装置１３が補正ＣＱＩに基づいて通信を制御する場合について説明をした。本実施形態では、基地局装置１３がＣＱＩの補正値ΔＣＱＩを算出し、移動局装置１１でのＣＱＩと算出したΔＣＱＩとに基づいて通信を制御する場合について説明をする。
以下、本実施形態に係る移動局装置及び基地局装置を、それぞれ、移動局装置２１及び基地局装置２３という。ここで、移動局装置２１は、移動局装置１１のＵＥ制御回路Ａ１に代えてＵＥ制御回路Ａ２を備える。また、基地局装置２３は、移動局装置１３のｅＮＢ制御回路Ｃ１に代えてｅＮＢ制御回路Ｃ２を備える。
【００７１】
＜各制御回路が行う処理について＞
以下、図１４〜図１６を用いて、ＵＥ制御回路Ａ２、ＲＮ制御回路Ｂ２、及びｅＮＢ制御回路Ｃ１が行う処理の詳細について説明をする。
図１４は、本発明の第２の実施形態に係る各制御回路の論理的な構成を示す概略ブロック図である。本実施形態に係る制御回路（図１４）と第１の実施形態に係る制御回路（図７）とを比較すると、ＣＱＩ算出部Ａ２３、補正値算出部Ｃ２４、通信制御部Ｃ２６が異なる。しかし、他の構成要素（ＲＳ送信部Ａ１１、下りダイレクトリンク品質測定部Ａ１２、ＣＱＩ送信部Ａ１４、ＲＳ送信指示部Ｃ１１、ＲＳ測定指示部Ｃ１２、上りダイレクトリンク品質測定部Ｃ１３、上りアクセスリンク品質測定部Ｂ１１、及び上りアクセスリンク品質送信部Ｂ１２）が持つ機能は第１の実施形態と同じである。第１の実施形態と同じ機能の説明は省略する。
【００７２】
図１５は、本実施形態に係る無線通信システム２の動作の一例を示すシーケンス図である。本実施形態に係る無線通信システム２の動作（図１５）と第１の実施形態に係る無線通信システム１の動作（図８）とを比較すると、ステップＳ３０７〜Ｓ３１０の処理が異なる。しかし、他の処理（ステップＳ１０１〜Ｓ１０６、Ｓ１１２、Ｓ１１３の処理）は第１の実施形態と同じである。第１の実施形態と同じ処理の説明は省略する。
以下、図７を参照しつつ、図１５の無線通信システム２の動作について説明をする。
【００７３】
（ステップＳ３０７）補正値算出部Ｃ２４は、ステップＳ１０６で送信された情報が示すＳＩＮＲ＿ＵＡＬと、ステップＳ１０５で算出されたＳＩＮＲ＿ＵＤＬと、に基づいて差分ΔＳＩＮＲを算出する。具体的には、補正値算出部Ｃ２４は、ΔＳＩＮＲ＝ＳＩＮＲ＿ＵＡＬ−ＳＩＮＲ＿ＵＤＬを算出する。その後、ステップＳ３０８に進む。
（ステップＳ３０８）下りダイレクトリンク品質測定部Ａ１２は、基地局装置１３が送信したリファレンスシグナルを用いて、ＳＩＮＲ＿ＤＤＬを算出する。ＣＱＩ算出部Ａ２３は、下りダイレクトリンク品質測定部Ａ１２が算出したＳＩＮＲ＿ＤＤＬを、品質情報対応表を用いてＣＱＩに変換する。ＣＱＩ送信部Ａ１４は、ＣＱＩ算出部Ａ２３が算出したＣＱＩを、基地局装置１３に送信する。その後、ステップＳ３０９に進む。
【００７４】
（ステップＳ３０９）補正値算出部Ｃ２４は、ステップＳ３０８で送信されたＣＱＩと、ステップＳ３０７で算出されたΔＳＩＮＲを用いて、ＣＱＩの補正値ΔＣＱＩ＝ｆ（ＣＱＩ，ΔＳＩＮＲ）を算出する。例えば、補正値算出部Ｃ２４は、ΔＣＱＩと、ＣＱＩ及びΔＳＩＮＲと、を予め対応付けた対応表を記憶し、この対応表を用いてΔＣＱＩを決定してもよい。また、補正値ΔＣＱＩは、ΔＳＩＮＲのみの関数であってもよい。その後、ステップＳ３１０に進む。
（ステップＳ３１０）通信制御部Ｃ２６は、ステップＳ３０８で送信されたＣＱＩと、ステップＳ３０９で算出されたΔＣＱＩと、に基づいて、移動局装置２１に割り当てる無線リソースと、移動局装置２１が用いる変調方式及び符号化方式と、を決定する。具体的には、通信制御部Ｃ２６は、ステップＳ３０８で送信されたＣＱＩとステップＳ３０９で算出されたΔＣＱＩとを加算した補正有ＣＱＩを算出する。通信制御部Ｃ２６は、補正有ＣＱＩに基づいて無線リソースと変調方式及び符号化方式とを決定する。
その後、無線通信システム２は、ステップＳ１０２〜Ｓ３１０の処理を繰り返す。一方、基地局装置２３が補正無ＣＱＩを用いた通信制御を行うと判定した場合、ステップＳ１１２に進む。
【００７５】
図１６は、本実施形態に係るｅＮＢ制御回路Ｃ２の動作の一例を示すフロー図である。本実施形態に係るｅＮＢ制御回路Ｃ２の動作（図１６）と第１の実施形態に係るｅＮＢ制御回路Ｃ１の動作（図９）とを比較すると、ステップＳ４０４〜Ｓ４０５の処理が異なる。しかし、他の処理（ステップＳ２０１、Ｓ２０２、Ｓ２０６、Ｓ２０７の処理）は第１の実施形態と同じである。第１の実施形態と同じ処理の説明は省略する。以下、図１４を参照しつつ、図１６のｅＮＢ制御回路Ｃ２の動作について説明をする。
【００７６】
（ステップＳ４０３）通信制御部Ｃ２６は、ステップＳ２０１で受信したＣＱＩに基づいて、移動局装置２１に割り当てる無線リソースと、移動局装置２１が用いる変調方式及び符号化方式と、を決定する。その後、ステップＳ２０６に進む。
（ステップＳ４０４）補正値算出部Ｃ２４は、ΔＣＱＩを算出する。その後、ステップＳ４０５に進む。
（ステップＳ４０５）通信制御部Ｃ２６は、ステップＳ２０１で受信したＣＱＩと、ステップＳ４０４で算出したΔＣＱＩに基づいて、補正有ＣＱＩを算出する。通信制御部Ｃ２６は、算出した補正有ＣＱＩに基づいて移動局装置２１に割り当てる無線リソースと、移動局装置２１が用いる変調方式及び符号化方式と、を決定する。その後、ステップＳ２０６に進む。
【００７７】
＜無線リソースの割り当てについて＞
以下、図１０、図１７、図１２、図１３を用いて無線リソースの割り当てについて説明をする。図１０が補正無ＣＱＩを用いる場合の図であるのに対し、図１７は補正有ＣＱＩを用いる場合の図である。
【００７８】
図１７は、本実施形態に係る基地局装置２３が算出するＣＱＩの一例を示す概略図である。この図は、補正有ＣＱＩを用いる場合の図である。この図は、時刻ｔ１で移動局装置２１Ａが中継局装置１２と接続し、ワイドバンドＣＱＩを算出していることを示す。また、この図は、時間Ｔ５、Ｔ６に、移動局装置１１Ａが送信したＣＱＩにΔＣＱＩを加算して補正有ＣＱＩを算出したことを示す。
図１１において、例えば、時間Ｔ５では、移動局装置２１Ａが送信したＣＱＩは「８」であり、ΔＣＱＩが「２」であることを示す。この場合、基地局装置２３は、補正有ＣＱＩ「１０」に基づいて、無線リソース、変調方式及び符号化方式を決定する。つまり、図１０の場合と比較して、時間Ｔ５のワイドバンドＣＱＩが２だけ増加している。
【００７９】
このように、本実施形態によれば、基地局装置２３は、リファレンスシグナルの送信を移動局装置２１に対して指示し、移動局装置２１が送信したリファレンスシグナルの測定を、中継局装置１２に対して指示する。基地局装置２３は、指示に対する測定結果の情報であって中継局装置１２でのＳＩＮＲ＿ＵＡＬを受信する。基地局装置２３は、移動局装置２１が送信したリファレンスシグナルを測定する。基地局装置２３は、受信したＳＩＮＲ＿ＵＡＬと、測定結果のＳＩＮＲ＿ＵＤＬと、の差分ΔＳＩＮＲを算出する。移動局装置１１は、基地局装置１３から送信されたリファレンスシグナルを測定して、測定結果のＣＱＩを、基地局装置２３に通知する。基地局装置２３は、算出したΔＳＩＮＲと通知されたＣＱＩ（又はΔＳＩＮＲのみ）を用いて補正値ΔＣＱＩを算出する。基地局装置２３は、ＣＱＩ及びΔＣＱＩを用いて、補正有ＣＱＩを算出する。
これにより、本実施形態では、無線通信システム２は、中継局装置１２から移動局装置２１への通信経路に合致したＣＱＩ（補正有ＣＱＩ）を算出することができる。
【００８０】
なお、上記各実施形態において、移動局装置１１、２１は、算出したＣＱＩを示す情報を、中継局装置１２を介して基地局装置１３へ送信する場合について説明をした。しかし、本発明はこれに限らず、移動局装置１１、２１は、算出したＣＱＩを示す情報を、直接基地局装置１３へ送信してもよい。
また、上記各実施形態において、無線通信システム１、２は、ＳＩＮＲの差分ΔＳＩＮＲを通信制御に用いる場合について説明したが、本発明はこれに限らず、ＳＩＮＲに代えて受信信号電力Ｐを用いて、その差分ΔＰを通信制御に用いてもよい。ここで、受信信号電力Ｐは、送信局装置の信号を測定することにより容易に算出できる。干渉電力が大きく変動しない（例えば、１〜２ｄＢ（デシベル）以内）条件では信頼できるパラメータとして使ってもよい。これにより、演算部１３５は、ΔＳＩＮＲを算出する場合と比較してΔＰを容易に算出でき、短時間でデータを取得でき、算出のためのハードウエア或いはソフトウエアの負担が少なくできる。また、例えば、演算部１３５は、干渉電力の変動の大きさに基づいて、ΔＳＩＮＲを算出するかΔＰを算出するかを決定してもよい。
また、上記各実施形態において、無線通信システム１、２は、ＳＩＮＲの差分ΔＳＩＮＲを通信制御に用いる場合について説明したが、本発明はこれに限らず、ＳＩＮＲに代えて受信品質情報を用いて、その差分を通信制御に用いてもよい。この受信品質情報は、例えば誤り率などで表現される通信の品質を表す指標であり、ユーザデータのスループットや遅延に影響する。演算部１３５は、受信品質情報の測定には、比較的長い時間（例えば、１〜１０秒程度）の観測を行い、例えば、ＣＲＣによる誤り検出によってブロック誤り率を算出し受信品質情報とする。これにより、演算部１３５は、伝搬路条件が変化しない条件では、変化の激しい条件と比較して良い指標となる受信品質情報を算出できる。
【００８１】
また、上記各実施形態において、基地局装置１３、２３は、受信又は算出したＣＱＩを、そのままＭＣＳの決定に用いなくてもよい。例えば、ＬＴＥの規格では、複数の同じサブフレーム内の異なる周波数のリソースで異なるＭＣＳを選択することは無い。そのため、基地局装置１３、２３は、最小のＣＱＩに対応するＭＣＳに決定してもよい（例えば、図１０の時間Ｔ１ではＣＱＩの最小値「９」に対応するＭＣＳに決定する）。また、基地局装置１３、２３は、ＣＱＩの平均値に対応するＭＣＳに決定してもよい（例えば、図１０の時間Ｔ１ではＣＱＩの平均値「１０」に対応するＭＣＳに決定する）。
【００８２】
上記各実施形態において、無線通信システムでは、ＳＩＮＲを算出する場合について説明をした。無線通信システムでは、ＳＩＮＲを用いることにより、受信信号電力Ｐによる算出よりは負荷がかかるが、より高い信頼性が得られる。一方、ＳＩＮＲは受信品質情報のように長時間の観測は求められないことから、ＳＩＮＲを用いる手法は、信頼性と算出の負荷(処理時間や処理量等)とのバランスの良い手法である。
【００８３】
上記各実施形態において、無線通信システムでは、ＣＱＩを用いる場合について説明をした。無線通信システムでは、ＣＱＩを用いることにより、ＳＩＮＲを用いる場合と比較して正確性は劣るが情報量を削減できる。よって、ＣＱＩを用いる手法は、簡易な通知で足りる場合などに有効な手法である。
【００８４】
また、上記第１の実施形態において、移動局装置１１がＳＩＮＲ＿ＤＤＬを基地局装置１３に送信し、基地局装置１３が補正ＳＩＮＲを算出して補正有ＣＱＩに変換してもよい。
また、上記第２の実施形態において、基地局装置２３がΔＣＱＩを移動局装置２１二に送信し、移動局装置２１が補正有ＣＱＩを算出して基地局装置２３に送信してもよい。
【００８５】
なお、上述した実施形態における移動局装置１１、２１、中継局装置１２、及び基地局装置１３、２３の一部、例えば、ＲＳ送信部Ａ１１、下りダイレクトリンク品質測定部Ａ１２、ＣＱＩ算出部Ａ１３、Ａ２３、ＣＱＩ送信部Ａ１４、上りアクセスリンク品質測定部Ｂ１１、上りアクセスリンク品質送信部Ｂ１２、補正値算出部Ｃ２４、ＲＳ送信指示部Ｃ１１、ＲＳ測定指示部Ｃ１２、上りダイレクトリンク品質測定部Ｃ１３、差分算出部Ｃ１４、差分送信部Ｃ１５、及び通信制御部Ｃ１６、Ｃ２６をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、移動局装置１１、２１、中継局装置１２、又は基地局装置１３、２３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における移動局装置１１、２１、中継局装置１２、及び基地局装置１３、２３の一部、または全部を、ＬＳＩ（Ｌａｒｇｅ  Ｓｃａｌｅ  Ｉｎｔｅｇｒａｔｉｏｎ）等の集積回路として実現しても良い。移動局装置１１、２１、中継局装置１２、及び基地局装置１３、２３の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００８６】
以上、図面を参照してこの発明の一実施形態について詳しく説明してきたが、具体的な構成は上述のものに限られることはなく、この発明の要旨を逸脱しない範囲内において様々な設計変更等をすることが可能である。
【産業上の利用可能性】
【００８７】
本発明は、携帯電話装置を端末装置とする移動通信システムに用いることができる。
【符号の説明】
【００８８】
１１、２１・・・移動局装置、１１１・・・送受信アンテナ、１１２・・・送受信回路、１１３・・・記憶部、１１４・・・演算部、１１５・・・周辺回路、Ａ１、Ａ２・・・ＵＥ制御回路、１２・・・中継局装置、１２１・・・送受信アンテナ、１２２・・・対ＵＥ用送受信回路、１２３・・・対ｅＮＢ用送受信回路、１２４・・・記憶部、１２５・・・演算部、Ｂ１・・・ＲＮ制御回路、１３、２３・・・基地局装置、１３１・・・送受信アンテナ、１３２・・・対ＵＥ用送受信回路、１３３・・・対ＲＮ用送受信回路、１３４・・・記憶部、１３５・・・演算部、１３６・・・ＮＷ側通信回路、Ｃ１、Ｃ２・・・ｅＮＢ制御回路、Ａ１１・・・ＲＳ送信部、Ａ１２・・・下りダイレクトリンク品質測定部、Ａ１３、Ａ２３・・・ＣＱＩ算出部、Ａ１４・・・ＣＱＩ送信部、Ｂ１１・・・上りアクセスリンク品質測定部、Ｂ１２・・・上りアクセスリンク品質送信部、Ｃ２４・・・補正値算出部、Ｃ１１・・・ＲＳ送信指示部、Ｃ１２・・・ＲＳ測定指示部、Ｃ１３・・・上りダイレクトリンク品質測定部、Ｃ１４・・・差分算出部、Ｃ１５・・・差分送信部、Ｃ１６、Ｃ２６・・・通信制御部
【図１】
0005495455.tif 000002
【図２】
0005495455.tif 000003
【図３】
0005495455.tif 000004
【図４】
0005495455.tif 000005
【図５】
0005495455.tif 000006
【図６】
0005495455.tif 000007
【図７】
0005495455.tif 000008
【図８】
0005495455.tif 000009
【図９】
0005495455.tif 000010
【図１０】
0005495455.tif 000011
【図１１】
0005495455.tif 000012
【図１２】
0005495455.tif 000013
【図１３】
0005495455.tif 000014
【図１４】
0005495455.tif 000015
【図１５】
0005495455.tif 000016
【図１６】
0005495455.tif 000017
【図１７】
0005495455.tif 000018